(57)【要約】【課題】ＡＵＴＯ選択モードを有するＡＶアンプ等のオーディオ機器でより高品質なオーディオを処理できるようにする。【解決手段】光ディスク再生装置１は、光ディスク４に記録されたデジタルオーディオ信号を再生するメカユニット部１１、信号処理部１２およびアプリケーション部１３と、再生されたデジタルオーディオ信号をデジタル出力するデジタルオーディオ出力部１４２と、再生されたデジタルオーディオ信号の種類を検出するアプリケーション部１３と、検出されたデジタルオーディオ信号の種類に応じて、セレクタ１９を制御し、デジタルオーディオ出力部１４２からのデジタル出力のＯＮ/ＯＦＦを制御するシステムコントローラ１５と、を有している。【選択図】図１
2005100552.tif 000002
【特許請求の範囲】
【請求項１】
デジタル信号を再生する再生手段と、
前記再生手段により再生されたデジタル信号をデジタル出力する出力手段と、
前記再生手段により再生されたデジタル信号の種類を検出する検出手段と、
前記検出手段が検出したデジタル信号の種類に応じて、前記出力手段からのデジタル出力のＯＮ/ＯＦＦを制御する制御手段と、を有すること
を特徴とするデジタル信号再生装置。
【請求項２】
デジタル信号を再生する再生手段と、
前記再生手段により再生されたデジタル信号をデジタル出力する出力手段と、
前記再生手段により再生されたデジタル信号の種類を検出する検出手段と、
前記検出手段が検出したデジタル信号の種類がビットストリームでない場合に、前記出力手段からのデジタル出力をＯＦＦとする制御手段と、を有すること
を特徴とするデジタル信号再生装置。
【請求項３】
デジタル信号を再生する再生手段と、
前記再生手段により再生されたデジタル信号をデジタル出力する出力手段と、
前記再生手段により再生されたデジタル信号の種類を検出する検出手段と、
前記検出手段が検出したデジタル信号の種類がダウンミックスしてマルチチャネルでデジタル出力されるデジタル信号である場合に、前記出力手段からのデジタル出力をＯＦＦとする制御手段と、を有すること
を特徴とするデジタル信号再生装置。
【請求項４】
デジタル信号を再生する再生手段と、
前記再生手段により再生されたデジタル信号をデジタル出力する出力手段と、
前記再生手段により再生されたデジタル信号の種類を検出する検出手段と、
前記検出手段が検出したデジタル信号の種類がダウンサンプリングしてデジタル出力されるＬＰＣＭ信号またはＰＰＣＭ信号である場合に、前記出力手段からのデジタル出力をＯＦＦとする制御手段と、を有すること
を特徴とするデジタル信号再生装置。
【請求項５】
デジタル信号を再生する再生手段と、
前記再生手段により再生されたデジタル信号をデジタル出力する出力手段と、
前記再生手段により再生されたデジタル信号の種類を検出する検出手段と、
前記検出手段が検出したデジタル信号の種類がダウンサンプリングしないでデジタル出力される２ＣＨ以下のＬＰＣＭ信号またはＰＰＣＭ信号である場合に、前記出力手段からのデジタル信号出力をＯＮとする制御手段と、を有すること
を特徴とするデジタル信号再生装置。
【請求項６】
請求項１乃至５のいずれか１項に記載のデジタル信号再生装置であって、
前記再生手段は、記憶媒体に記憶されたデジタルオーディオ信号を再生し、
前記制御手段は、前記出力手段からのデジタル出力のＯＮ/ＯＦＦを切替える場合、前記出力手段から無音信号を一定時間出力すること
を特徴とするデジタル信号再生装置。
【発明の詳細な説明】
【技術分野】
【０００１】
本発明は、光ディスクに記録されたデジタルオーディオ信号を再生する光ディスク再生装置などのデジタル信号再生装置に関する。
【背景技術】
【０００２】
一般に、ＤＶＤ（Disital Versatile Disk）プレーヤなどの、光ディスクに記録されたデジタルオーディオ信号を再生するデジタル信号再生装置は、再生したデジタルオーディオ信号をデジタル出力するデジタル出力機能を備えている。また、このようなデジタル信号再生装置からデジタル出力されたオーディオ信号は、デジタル入力機能を備えたＡＶアンプなどのオーディオ機器で処理され、スピーカから出力される。
【０００３】
デジタル入力機能を備えたオーディオ機器として、特許文献１に記載のオーディオ機器がある。このオーディオ機器は、デジタル入力機能およびアナログ入力機能を備え、デジタルオーディオ信号の入力がある場合は、入力されたデジタルオーディオ信号を優先的に処理し、デジタルオーディオ信号の入力がない場合は、アナログ入力に切替えて、アナログオーディオ信号を処理する「ＡＵＴＯ」選択モードを備えている。
【０００４】
また、特許文献２には、ＤＶＤの種類を示す双方向制御信号を送信するＤＶＤプレーヤと、この双方向制御信号に基づいて、ＤＶＤプレーヤからの入力系統（デジタル信号Ｄ、第１アナログ信号Ａ１、第２アナログ信号Ａ２）を切替えるＡＶアンプと、を有するシステムオーディオ装置が開示されている。
【０００５】
【特許文献１】特開平９-１３０８９８号公報
【０００６】
【特許文献２】特開２０００-３３１４３１号公報
【発明の開示】
【発明が解決しようとする課題】
【０００７】
従来のＤＶＤプレーヤは、再生しているデジタルオーディオ信号の種類に関係なく、アナログオーディオ信号およびデジタルオーディオ信号をそれぞれの出力端子から出力している。したがって、特許文献１記載のオーディオ機器をＤＶＤプレーヤに接続した場合、ＤＶＤプレーヤがデジタルオーディオ信号を出力している限り、該オーディオ機器は、常に、入力されたデジタルオーディオ信号を処理し、スピーカから出力する。
【０００８】
ところで、ＤＶＤプレーヤは、ＤＶＤのＬＰＣＭ（Linear Pulse Code Modulation）/ＰＰＣＭ（Packed Pulse Code Modulation）などのマルチチャンネルソースのオーディオ信号を再生する場合、ダウンミックスされた２ＣＨのデジタル信号を出力する。このため、特許文献１記載のオーディオ機器では、この２ＣＨのデジタル信号を選択し処理してスピーカから出力する。したがって、マルチチャンネルを自動で再生することができない。マルチチャンネルを再生したい場合、ユーザは、オーディオ機器の設定を、「ＡＵＴＯ」選択モードからアナログ入力モードに切り替えなければならない。
【０００９】
また、ＤＶＤプレーヤは、ＤＶＤ-ＡＵＤＩＯの１９２ｋＨｚ等のハイサンプリングソースのオーディオ信号を再生する場合、１９２ｋＨｚのハイサンプリングを４８ｋＨｚにダウンサンプリングしてデジタル出力する。このため、特許文献１記載のオーディオ機器では、この４８ｋＨｚにダウンサンプリングされたデジタル信号を選択し処理してスピーカから出力する。つまり、ハイサンプリングされた高音質のオーディオ信号を劣化させてしまう。高音質オーディオを再生したい場合、ユーザは、オーディオ機器の設定を、「ＡＵＴＯ」選択モードからアナログ入力モードに切り替えなければならない。
【００１０】
一方、ＤＶＤプレーヤとオーディオ機器との接続をアナログ接続のみにしてしまうと、次のような問題がある。すなわち、ＤＶＤプレーヤに内蔵されているＤＯＬＢＹ ＤＩＧＩＴＡＬ(登録商標)、ｄｓｔ(登録商標)等のデコーダは、ＡＶアンプに使用しているＤＯＬＢＹ ＤＩＧＩＴＡＬ(登録商標)、ｄｓｔ(登録商標)等のデコーダより性能が劣ることが多い。また、ＤＶＤプレーヤに内蔵されているＤＯＬＢＹ ＤＩＧＩＴＡＬ(登録商標)、ｄｓｔ(登録商標)等のデコーダは、ドルビーサラウンド ＥＸ サウンドやＤＴＳ ＥＳ等の６.１ＣＨ等のハイクオリティマルチチャンネルのデコーダを搭載していないことが多い。この場合、６.１ＣＨ等のハイクオリティマルチチャンネルを再生できない。
【００１１】
なお、特許文献２のシステムオーディオ装置は、ＤＶＤプレーヤより受信した双方向制御信号により、ＡＶアンプがＤＶＤプレーヤからの入力系統を切替えることで、ＤＶＤプレーヤから出力されたオーディオ信号を確実に処理できるようにしたものである。オーディオを高品質で楽しむことを目的としたものではない。また、特許文献２のシステムオーディオ装置では、専用の制御信号（双方向制御信号）を必要とするため、他社のＤＶＤとＡＶアンプとの組み合わせでは、実施できない可能性がある。
【００１２】
本発明は上記事情に鑑みてなされたものであり、本発明の目的は、ＡＵＴＯ選択モードを有するＡＶアンプ等のオーディオ機器でより高品質なオーディオを処理することができるデジタル信号再生装置を提供することにある。
【課題を解決するための手段】
【００１３】
上記課題を解決するために、本発明のデジタル信号再生装置は、デジタル信号を再生する再生手段と、前記再生手段により再生されたデジタル信号をデジタル出力する出力手段と、前記再生手段により再生されたデジタル信号の種類を検出する検出手段と、前記検出手段が検出したデジタル信号の種類に応じて、前記出力手段からのデジタル出力のＯＮ/ＯＦＦを制御する制御手段と、を有する。
【００１４】
ここで、前記制御手段は、前記検出手段が検出したデジタル信号の種類がビットストリームでない場合に、前記出力手段からのデジタル出力をＯＦＦとするものでもよい。あるいは、前記検出手段が検出したデジタル信号の種類がダウンミックスしてマルチチャネルでデジタル出力されるデジタル信号である場合（あるいは、該デジタル信号であって、本装置に接続されるオーディオ機器から高音質且つマルチチャンネルで出力される場合またはマルチチャンネルで出力される場合）に、前記出力手段からのデジタル出力をＯＦＦとするものでもよい。あるいは、前記検出手段が検出したデジタル信号の種類がダウンサンプリングしてデジタル出力されるＬＰＣＭ信号またはＰＰＣＭ信号である場合（あるいは、該信号であって、本装置に接続されるオーディオ機器から高音質且つマルチチャンネルで出力される場合または高音質で出力される場合）に、前記出力手段からのデジタル信号出力をＯＦＦとするものでもよい。あるいは、前記検出手段が検出したデジタル信号の種類がダウンサンプリングしないでデジタル出力される２ＣＨ以下のＬＰＣＭ信号またはＰＰＣＭ信号である場合に、前記出力手段からのデジタル出力をＯＮとするものでもよい。
【発明の効果】
【００１５】
本発明では、前記の構成により、再生されたデジタル信号の種類を検出し、当該種類のデジタル信号のデジタル出力がアナログ出力より低品質の場合に、デジタル出力を停止することができる。したがって、ＡＵＴＯ選択モードを有するＡＶアンプ等のオーディオ機器に接続した場合に、該オーディオ機器でより高品質なオーディオを処理できる。
【発明を実施するための最良の形態】
【００１６】
以下に、本発明の実施の形態を説明する。
【００１７】
図１は、本発明の一実施形態が適用されたオーディオシステムの概略図である。図示するように、本実施形態のオーディオシステムは、光ディスク４に記録されたデジタル信号を再生する光ディスク再生装置１と、光デジタル再生装置１から出力されたオーディオ信号を処理してスピーカシステム３から出力するオーディオ機器２と、を有する。光ディスク再生装置１として、例えばＤＶＤプレーヤがある。また、オーディオ機器２として、例えばＡＶアンプがある。
【００１８】
光ディスク再生装置１は、メカユニット部１１と、信号処理部１２と、アプリケーション部１３と、出力部１４と、システムコントローラ部１５と、ユーザインターフェース部１６と、ＤＡＣ（Disital Analog Converter）群１７と、リモコン送信機１８と、を有する。
【００１９】
メカユニット部１１は、光ディスク４から記録信号を読み出すためのものであり、光ピックアップ１１１と、メカ駆動部１１２と、を有する。
【００２０】
光ピックアップ１１１は、光ディスク４から記録信号を検出するためのものであり、図示していないが、短波長赤色半導体レーザダイオードと、レーザダイオードが発光したレーザ光を光ディスク４の記録部に照射するための光学部品と、光ディスク４の記録部から反射したレーザ光を検知するフォトディテクタと、フォトディテクタで検知した微弱な光電流の信号を電圧に変換して増幅する電流／電圧変換回路と、を有する。
【００２１】
メカ駆動部１１２は、図示していないが、スライドモータを駆動して光ピックアップ１１１を光ディスク４の半径方向に移動させるピックアップ送り機構と、光ディスク４をターンテーブルに載置するディスクローディング機構と、スピンドルモータを駆動してターンテーブルに載置された光ディスク４を回転させる機構と、を有する。
【００２２】
信号処理部１２は、メカユニット部１１の信号検出の制御および検出信号の復調を行なうためのものであり、ＲＦ信号処理部１２１と、サーボプロセッサ１２２と、データプロセッサ１２３と、を有する。
【００２３】
ＲＦ信号処理部１２１は、図示していないが、光ピックアップ１１１が検出した信号を正規波形に戻すための波形等化回路を有し、波形等化回路から出力される信号からトラッキングエラー信号およびフォーカスエラー信号等の光ピックアップ１１１を制御するサーボエラー信号を生成する。また、レーザダイオードの発光電力が適正となるよう電力制御信号を生成する。
【００２４】
サーボプロセッサ１２２は、ＲＦ信号処理部１２１で生成されたサーボエラー信号や電力制御信号に基づいて、メカユニット部１１のレーザダイオード、スライドモータおよびスピンドルモータを制御する。具体的には、ＣＤ/ＤＶＤ用の光ピックアップ１１１のトラッキングサーボ、フォーカスサーボ、スライドモータサーボ、および、光ディスク４の回転速度を一定とするＣＬＶ（Constant Linear Velocity）サーボを行うスピンドルモータの制御を行う。
【００２５】
データプロセッサ１２３は、光ピックアップ１１１が検出した記録信号のデータ復調およびエラー訂正を行う。具体的には、ＣＤから検出した１４ビットの信号を８ビットのデータに変換する８-１４復調およびＣＩＲＣ（Cross Interleave Read Solomon Code）を用いて復調データのエラー訂正を行う。また、ＤＶＤから検出した１６ビットの信号を８ビットのデータに変換する８-１６復調およびＲＳ-ＰＣ（Read Solomon Product Code）を用いて復調データのエラー訂正を行う。
【００２６】
アプリケーション部１３は、信号処理部１２で復調されたデータを復号するためのものであり、主映像デコーダ１３１と、副映像デコーダ１３２と、ＮＴＳＣエンコーダ１３３と、オーディオデコーダ１３４と、を有する。
【００２７】
主映像デコーダ１３１は、信号処理部１２で復調されたデータから主映像信号（デジタルビデオ信号）をデコードする。具体的には、ＭＰＥＧ-２（Moving Picture Ｅxperts Group-２）で圧縮された主映像信号をデコードし、ワイドテレビ（画面サイズの横縦比が１６:９）対応のスクイーズ映像（左右に圧縮した映像）を、通常のテレビ（画面サイズの横縦比が４:３）の画面の主映像信号（デジタルビデオ信号）に変換する処理を行う。
【００２８】
副映像デコーダ１３２は、信号処理部１２で復調されたデータから副映像信号（デジタルビデオ信号）をデコードする。また、副映像デコーダ１３２は、オンスクリーン表示用インターフェイスと音声パケットとの分離を行う。
【００２９】
ＮＴＳＣエンコーダ１３３は、主映像デコーダ１３１および副映像デコーダ１３２から出力されるデジタルビデオ信号をミキシングして、ＮＴＳＣ方式のアナログビデオ信号に変換する。また、ＮＴＳＣエンコーダ部３０３は、アナログコピーガード、および、ＣＧＭＳ−Ａ(Copy Generation Management System-Analog)のコピー制限の制御を行う。なお、ＮＴＳＣ方式に変換されたアナログビデオ信号は、コンポジットビデオ信号および/またはコンポーネントビデオ信号として出力される。
【００３０】
オーディオデコーダ１３４は、信号処理部１２で復調されたデータからオーディオデータ（デジタルオーディオ信号）をデコードする。具体的には、ＤＯＬＢＹ ＤＩＧＩＴＡＬ(登録商標)やｄｓｔ(登録商標)等のオーディオデータのデコード、および、ＬＰＣＭやＰＰＣＭ等のオーディオデータのデコードを行う。
【００３１】
また、アプリケーション部１３は、光ディスク４がＤＶＤディスクである場合に、ＤＶＤディスクに記録されているＶＴＳＩ（Video Title Set Information）のデコードを行う。ＤＶＤ−ＡＵＤＩＯの場合はＡＴＳＩ（Audio Title Set Information）のデコードを行う。ＶＴＳＩ（ＡＴＳＩ）をデコードすると、オーディオストリームの数（最大８オーディオストリーム）と、各オーディオストリームのＡｕｄｉｏ Ｃｏｒｄｉｎｇ Ｍｏｄｅ（Dolby Digital、LPCM等のデジタルオーディオ信号の種類）、ｆｓ（４８ｋＨｚ、９６ｋＨｚ等のデジタルオーディオ信号のサンプリング周波数）、および、Ｎｕｍｂｅｒ ｏｆ Ａｕｄｉｏ Ｃｈａｎｎｅｌｓ（デジタルオーディオ信号のチャンネル数）の情報を得ることができる。
【００３２】
ＤＡＣ群１７は、複数のＤＡＣを有し、オーディオデコーダ１３４から出力されたデジタルオーディオ信号を、チャンネル毎にアナログオーディオ信号にＤ/Ａ変換する。図１に示す例では、最大５.１ＣＨでオーディオ信号をアナログ出力できるようにするために、６個のＤＡＣを搭載している。
【００３３】
出力部１４は、ＮＴＳＣエンコーダ１３３から出力されたアナログビデオ信号を出力するアナログ映像出力部１４１と、オーディオデコーダ１３４から出力されたデジタルオーディオ信号に必要に応じてダウンミックスやダウンサンプリングなどの処理を施して、デジタルオーディオインターフェース規格に準じたデジタル信号に変換し出力するデジタルオーディオ出力部１４２と、ＤＡＣ群１７から出力されたアナログオーディオ信号を出力するアナログオーディオ出力部１４３と、を有する。図１に示す例では、最大５.１ＣＨのアナログオーディオ信号を出力できるようにするために、アナログオーディオ出力部１４３は、６個の出力端子（ＦＬ、ＦＲ、Ｃ、ＳＬ、ＳＲ、ＳＷ）を備えている。
【００３４】
セレクタ１９は、後述するシステムコントローラ部１５からの指示に従い、オーディオデコーダ１３４から出力されたデジタルオーディオ信号のデジタルオーディオ出力部１４２への出力をＯＮ/ＯＦＦする。
【００３５】
ユーザインターフェイスブロック部６は、蛍光灯表示管等の表示器、操作キー、リモコン受信器など備えて構成され、操作キーあるいはリモコン受信機がリモコン送信機１８を介して操作者より受付けた操作内容を、後述するシステムコントローラ部１５へ出力する。具体的には、操作者より「高音質再生・マルチチャンネル再生」、「マルチチャンネル再生」、「高音質再生」の選択を受付ける。そして、受付けた選択内容をシステムコントローラ部１５へ出力する。また、システムコントローラ部１５よりの指示に従い、動作状態を表示器に表示する。
【００３６】
システムコントローラ部１５は、光ディスク再生装置１の動作を制御する。例えば、ユーザインターフェイスブロック部６より受付けた操作者の指示に従って、光ディスク再生装置１を動作を制御する。
【００３７】
オーディオ機器２は、入力部２１と、ＤＩＲ（Digital Audio Interface Receiver）２２と、ＡＤＣ（Analog Disital Converter）群２３と、マイコン（マイクロコンピュータ）２４と、ＤＳＰ（Disital Signal Processor）２５と、ＤＡＣ群２６と、アンプ群２７と、を有する。
【００３８】
入力部２１は、光ディスク再生装置１より出力されたデジタルオーディオインターフェース規格に準じたデジタル信号を入力するデジタルオーディオ入力部２１１と、光ディスク再生装置１より出力されたアナログオーディオ信号を入力するアナログオーディオ入力部２１２と、を有する。図１に示す例では、最大５.１ＣＨのアナログオーディオ信号を入力できるようにするために、アナログオーディオ入力部２１２は、６個の入力端子（ＦＬ、ＦＲ、Ｃ、ＳＬ、ＳＲ、ＳＷ）を備えている。
【００３９】
ＤＩＲ２２は、デジタルオーディオ入力部２１１に入力されたデジタル信号を復調する。ＡＤＣ群２３は、複数のＡＤＣを有し、アナログオーディオ入力部２１２に入力されたアナログオーディオ信号を、チャンネル毎にデジタル信号にＡ/Ｄ変換する。図１に示す例では、最大５.１ＣＨのアナログオーディオ信号を処理できるようにするために、６個のＡＤＣを搭載している。
【００４０】
ＤＳＰ２５は、ＤＩＲ２２から出力されたＤＯＬＢＹ ＤＩＧＩＴＡＬ(登録商標)、ｄｓｔ(登録商標)、ドルビーサラウンド ＥＸ サウンド、ＤＴＳ ＥＳ等のデジタル信号からマルチチャネルのデジタルオーディオ信号を復調し、各種サラウンドモードの処理を行う。また、ＡＤＣ群２３から出力されたマルチチャンネルのデジタルオーディオ信号に各種サラウンドモードの処理を行う。
【００４１】
ＤＡＣ群２６は、複数のＤＡＣを有し、ＤＳＰ２５から出力されたデジタルオーディオ信号を、チャンネル毎にアナログオーディオ信号にＤ/Ａ変換する。図１に示す例では、最大７.１ＣＨのデジタルオーディオ信号を処理できるようにするために、８個のＤＡＣを搭載している。
【００４２】
アンプ群２７は、複数のアンプを有し、ＤＡＣ群２６から出力されたアナログオーディオ信号をチャンネル毎に増幅して、スピーカシステム３に出力する。
【００４３】
マイコン２４は、オーディオ機器２の動作を制御する。具体的には、上記の特許文献１記載のオーディオ機器と同じように、ＤＩＲ２２からデジタルオーディオ信号が出力されている場合は、ＡＤＣ群２３からの信号出力の有無に関わらず、ＤＩＲ２２から出力されたデジタルオーディオ信号が処理されるように、ＤＳＰ２５を制御する（ＡＵＴＯ選択モード）。
【００４４】
次に、光ディスク再生装置１の動作を説明する。
【００４５】
図２は、図１に示す光ディスク再生装置１の動作を説明するためのフロー図である。このフローは、メカユニット部１１のターンテーブルに光ディスク４であるＤＶＤディスクが載置された状態で、システムコントローラ部１５がユーザインターフェース部１６を介して操作者より再生指示を受付けるなどして、再生対象のデジタルオーディオ信号が変更されると開始される。
【００４６】
まず、システムコントローラ部１５は、信号処理部１２およびアプリケーション部１３を制御し、ＤＶＤディスクに記録されている再生対象のデジタルオーディオ信号のＶＴＳＩあるいはＡＴＳＩのデコードを行わせる（Ｓ１）。そして、デコード結果をアプリケーション部１３から取得する。
【００４７】
次に、システムコントローラ部１５は、アプリケーション部１３から取得した再生対象のデジタルオーディオ信号のＶＴＳＩあるいはＡＴＳＩのデコード結果から、再生対象のデジタルオーディオ信号の種類を判別する。具体的には、デコード結果により特定される再生対象のデジタルオーディオ信号のオーディオストリーム数、各オーディオストリームのＡｕｄｉｏ Ｃｏｒｄｉｎｇ Ｍｏｄｅ、サンプリング周波数ｆｓ、および、Ｎｕｍｂｅｒ ｏｆ Ａｕｄｉｏ Ｃｈａｎｎｅｌｓから、再生対象のデジタルオーディオ信号を次の４種類のいずれかに判別する（Ｓ２）。
【００４８】
種類１：ＤＯＬＢＹ ＤＩＧＩＴＡＬ（登録商標）、ｄｓｔ（登録商標）等のビットストリームのデジタルデータ
種類２：ＬＰＣＭ、ＰＰＣＭの２ＣＨのオーディオ信号でダウンサンプリングの必要がないデジタルデータ
種類３：ＬＰＣＭ、ＰＰＣＭの２ＣＨのオーディオ信号でダウンサンプリングの必要があるデジタルデータ
種類４：ＬＰＣＭ、ＰＰＣＭの３ＣＨ以上のマルチチャンネルのデジタルデータ
次に、システムコントローラ部１５は、Ｓ２で判別した再生対象のデジタルオーディオ信号の種類と、操作者が選択した再生モード（「高音質再生・マルチチャンネル再生」、「マルチチャンネル再生」、「高音質再生」）に応じて、セレクタ１９を制御し、デジタルオーディオ出力部１４２からのデジタル出力をＯＮ/ＯＦＦする（Ｓ３）。
【００４９】
ここで、光ディスク再生装置１に接続されるオーディオ機器２が３ＣＨ以上のアナログ入力端子を装備するＡＶアンプである場合を例にとり、操作者が「高音質再生・マルチチャンネル再生」モードを選択している場合における上記のＳ３の動作を説明する。この場合、システムコントローラ部１５は、セレクタ１９を制御し、再生対象のデジタルオーディオ信号の種類に応じて、デジタルオーディオ出力部１４２からのデジタル出力を次のようにＯＮ/ＯＦＦする。
【００５０】
（１-１）デジタルオーディオ信号が種類１の場合
デジタル出力をＯＮとする。これにより、光ディスク再生装置１からデジタル信号が出力されるので、オーディオ機器２は、入力されたデジタル信号を選択し処理する。つまり、入力されたデジタル信号を復調して、オーディオ出力する。これにより、ＤＯＬＢＹ ＤＩＧＩＴＡＬ、ｄｓｔ等の５.１ＣＨや、ドルビーサラウンド ＥＸ サウンド、ＤＴＳ ＥＳ等の６.１ＣＨ等のハイクオリティマルチチャンネル再生を楽しむことができる。
【００５１】
（１-２）デジタルオーディオ信号が種類２の場合
デジタル出力をＯＮとする。これにより、光ディスク再生装置１からデジタル信号が出力されるので、オーディオ機器２は、入力されたデジタル信号を選択し処理する。つまり、入力されたデジタル信号を復調して、オーディオ出力する。入力されたデジタル信号は、ＬＰＣＭ、ＰＰＣＭの２ＣＨのオーディオ信号でダウンサンプリングの必要がないデジタルデータであるので、光ディスク４に記録されているデジタルオーディオ信号と同じサンプリングで高音質のオーディオ信号のオーディオ再生を楽しむことができる。
【００５２】
（１-３）デジタルオーディオ信号が種類３の場合
デジタル出力をＯＦＦとする。これにより、光ディスク再生装置１からデジタル信号が出力されない。したがって、オーディオ機器２は、入力されたアナログ信号を選択し処理する。入力されたアナログ信号は、光ディスク再生装置１でダウンサンプリングされていないデジタルオーディオ信号をＤ/Ａ変換することで得られたものである。したがって、ダウンサンプリングされたデジタル信号を再生する場合に比べてより高品質でオーディオ再生を楽しむことができる。
【００５３】
（１-４）デジタルオーディオ信号が種類４の場合
デジタル出力をＯＦＦとする。これにより、光ディスク再生装置１からデジタル信号が出力されない。したがって、オーディオ機器２は、入力されたアナログ信号を選択し処理する。入力されたアナログ信号は、光ディスク再生装置１でダウンミックスされていないマルチチャンネルのデジタルオーディオ信号をチャンネル毎にＤ/Ａ変換することで得られたものである。したがって、ダウンミックスされたデジタル信号を再生する場合に比べてよりマルチチャンネルでオーディオ再生を楽しむことができる。
【００５４】
なお、上記において、操作者が「マルチチャンネル再生」モードを選択している場合には、上記の（１-３）でデジタル出力がＯＮとなる。この場合、オーディオ機器２でダウンサンプリングされたデジタル信号が処理されるため、オーディオ再生の品質が低下する。しかし、この場合でも、ダウンミックスされたデジタル信号が光ディスク再生装置１から出力されるのを防ぐことができるので、光ディスク４に記録されているデジタルオーディオ信号と同じマルチチャンネルでオーディオ再生を楽しむことができる。
【００５５】
また、上記において、操作者が「高音質再生」モードを選択している場合には、上記の（１-４）でデジタル出力がＯＮとなる。この場合、オーディオ機器２でダウンミックスされたデジタル信号が処理されるため、光ディスク４に記録されているデジタルオーディオ信号と同じマルチチャンネルでオーディオ再生をすることができない。しかし、この場合でも、ダウンサンプリングされたデジタル信号が光ディスク再生装置１から出力されるのを防ぐことができるので、光ディスク４に記録されているデジタルオーディオ信号と同じサンプリングでオーディオ再生を楽しむことができる。
【００５６】
次に、光ディスク再生装置１に接続されるオーディオ機器２が２ＣＨのアナログ入力端子を装備するＡＶアンプである場合を例にとり、上記のＳ３における動作を説明する。この場合、システムコントローラ部１５は、セレクタ１９を制御し、再生対象のデジタルオーディオ信号の種類に応じて、デジタルオーディオ出力部１４２からのデジタル出力を次のようにＯＮ/ＯＦＦする。
【００５７】
（２-１）デジタルオーディオ信号が種類１の場合
デジタル出力をＯＮとする。これにより、オーディオ機器２でデジタル入力が選択され、ＤＯＬＢＹ ＤＩＧＩＴＡＬ、ｄｓｔ等の５.１ＣＨや、ドルビーサラウンド ＥＸ サウンド、ＤＴＳ ＥＳ等の６.１ＣＨ等のハイクオリティマルチチャンネル再生を楽しむことができる。
【００５８】
（２-２）デジタルオーディオ信号が種類２の場合
デジタル出力をＯＮとする。これにより、オーディオ機器２でデジタル入力が選択され、光ディスク４に記録されているデジタルオーディオ信号と同じサンプリングで高音質のオーディオ信号のオーディオ再生を楽しむことができる。
【００５９】
（２-３）デジタルオーディオ信号が種類３の場合
デジタル出力をＯＦＦとする。これにより、オーディオ機器２でアナログ入力が選択される。入力されたアナログ信号は、光ディスク再生装置１でダウンサンプリングされていないデジタルオーディオ信号をＤ/Ａ変換することで得られたものであるので、ダウンサンプリングされたデジタル信号を再生する場合に比べてより高品質でオーディオ再生を楽しむことができる。
【００６０】
（２-４）デジタルオーディオ信号が種類４の場合
デジタル出力をＯＮとする。これにより、オーディオ機器２でデジタル入力が選択され、光ディスク再生装置１でダウンミックスされたマルチチャンネルのデジタルオーディオ信号が再生される。オーディオ機器２にはアナログ入力端子が２ＣＨ分しかないので、この場合でも、光ディスク再生装置１から出力されるアナログオーディオ信号を再生する場合に比べて、より多くのチャネルを再生できる可能性が高まる。
【００６１】
以上、本発明の一実施形態を説明した。
【００６２】
本実施形態の光ディスク再生装置１によれば、再生対象のデジタルオーディオ信号の種類によって、ディジタル出力をＯＮ/ＯＦＦする。これにより、光ディスク再生装置１に接続する、ＡＵＴＯ選択モードを有するＡＶアンプ等のオーディオ機器２の設定を変えなくても、ダウンサンプリングされていない高音質で楽しむことができる。また、ＬＰＣＭ/ＰＰＣＭ等のマルチチャンネルソースをマルチチャンネルで楽しむことができる。
【００６３】
なお、本発明は上記の実施形態に限定されるものではなく、その要旨の範囲内で数々の変形が可能である。
【００６４】
例えば、上記の実施形態では、デジタルオーディオ信号を４つの種類に判別し、その判別結果（種類１〜種類４）に応じてデジタル出力のＯＮ/ＯＦＦを制御している。ここで、どの種類のときにデジタル出力をＯＦＦとするかは、上記の実施形態に限定されない。光ディスク再生装置１に接続されるオーディオ機器２のアナログ入力系統の機能（性能）に応じて決定すればよい。つまり、オーディオ機器２が光ディスク再生装置１から出力されたアナログ信号を処理した方が、より高品質でオーディオ再生できる場合に、光ディスク再生装置１のデジタル出力をＯＦＦにすればよい。また、判別するデジタルオーディオ信号の種類も上記の４つの種類に限定されない。
【００６５】
また、上記の光ディスク再生装置１では、システムコントローラ１５が、セレクタ１９の制御によるデジタル出力のＯＮ/ＯＦＦの切替えを、再生対象のデジタルオーディオ信号が変更されたときに行なう。ところで、ＡＶアンプは、アナログ入力からデジタル入力に切り替える場合、切り替えてから音を出せるようになるまでに、一定の処理時間（通常１秒程度）がかかる。このため、デジタル出力をＯＦＦからＯＮあるいはＯＮからＯＦＦに変更して光ディスク再生装置１から直ちにオーディオ信号を出力すると、頭途切れが発生する場合がある。そこで、システムコントローラ１５が、再生対象のデジタルオーディオ信号が変わり、このために、デジタル出力をＯＦＦからＯＮあるいはＯＮからＯＦＦに変更する場合、一定時間デジタルの無音デジタルデータ(デジタル出力がＯＦＦからＯＮに変更する場合)あるいはアナログ無音信号(デジタル出力がＯＮからＯＦＦに変更する場合)を出力するように、音声デコーダ部１３４を制御してもよい。
【００６６】
また、上記の実施形態では、ＤＶＤ-ＡＵＤＩＯプレーヤの場合の光ディスク再生装置１を例にとり説明したが、本発明は、ＤＶＤ-マルチプレーヤ等の光ディスク再生装置にも当然適用できる。また、光ディスク再生装置のみならず、デジタル信号を再生するデジタル信号再生装置に広く適用できる。
【図面の簡単な説明】
【００６７】
【図１】図１は本発明の一実施形態が適用されたオーディオシステムの概略図である。
【図２】図２は図１に示す光ディスク再生装置１の動作を説明するためのフロー図である。
【符号の説明】
【００６８】
１：光ディスク再生装置、２：オーディオ機器、３：スピーカシステム、１１：メカユニット部、１２信号処理部、１３：アプリケーション部、１４：出力部、１５システムコントローラ、１６：ユーザインターフェース部、１７：ＤＡＣ群、１８：リモコン送信機、１９：セレクタ、２１：入力部、２２ＤＩＲ，２３：ＡＤＣ群、２４：マイコン、２５：ＤＳＰ、２６：ＤＡＣ群、２７：アンプ群
【図１】
2005100552.tif 000003
【図２】
2005100552.tif 000004